(57)【要約】【課題】大型で強度が高く、耐久性も優れた鉄筋コンクリート製の貯留浸透槽を提供する。【解決手段】地中に埋設され、一時的に貯留した雨水を地中に浸透排水する貯留浸透槽１において、鉄筋コンクリートにより形成され雨水を貯留する槽本体２の左右の両縦壁面部３及び床壁面部５に排水用開口部４，６を設ける。さらに排水用開口部４に透水性コンクリートにより形成された透水板７を槽本体２の外側から嵌め込む。この構成の貯留浸透槽１に貯留した雨水は、排水用開口部６及び透水板７から浸透排水できる。【選択図】図１
0003125027.tif 000002
【実用新案登録請求の範囲】
【請求項１】
地中に埋設され、一時的に貯留した雨水を地中に浸透排水する貯留浸透槽において、
非透水の鉄筋コンクリートにより形成され、雨水を貯留する槽本体と、
この槽本体の少なくとも一の縦壁面部に形成された排水用開口部と、
この排水用開口部のうち少なくとも前記縦壁面部の前記排水用開口部を閉鎖して設けられ、透水性コンクリートにより形成された透水板とを具備してなる貯留浸透槽。
【請求項２】
前記槽本体は、少なくとも一の縦壁面部に排水用開口部を形成した非透水の鉄筋コンクリート製のボックスカルバートを１個または複数個を連ね、両端の開放口を非透水の鉄筋コンクリート製の端板で閉鎖して構成されていることを特徴とする請求項１に記載の貯留浸透槽。
【請求項３】
請求項１又は２に記載の貯留浸透槽における槽本体を形成するためのボックスカルバートであって、
少なくとも左右の両縦壁面部のうちの一方の縦壁面部に前記排水用開口部を形成したことを特徴とするボックスカルバート。
【請求項４】
前記排水用開口部は、外面側が内面側より大きく開口している段付き形状であることを特徴とする請求項１又は２に記載の貯留浸透槽。
【請求項５】
前記排水用開口部は、外面側が内面側より大きく開口している段付き形状であることを特徴とする請求項３に記載のボックスカルバート。
【考案の詳細な説明】
【技術分野】
【０００１】
本考案は雨水を一時的に貯留し、徐々に地中に浸透排水させる貯留浸透槽及び貯留浸透槽に使用するボックスカルバートに関する。
【背景技術】
【０００２】
道路の舗装化が進むにつれて、地面が不浸透な状態となり、大雨が降った時などは道路に水が溢れ出たり、河川が急激に増加するようになった。この大雨などによる道路の冠水や河川の急な増水をなくす対策として、コンクリート製の貯留浸透槽を地中に埋設し、舗装地面に降った雨水を貯留浸透槽に一時的に貯留し、貯留浸透槽から徐々に地中に浸透排水させるシステムが採用されるようになった。
【考案の開示】
【考案が解決しようとする課題】
【０００３】
例えば、コンビニエンスストアなどの大型の駐車場に降った雨を一時的に溜めておくには、大型の貯留浸透槽を必要とする。ところが、従来の貯留浸透槽は、全体を多孔質の透水性コンクリートによって形成しているため、強度が弱く大型化が困難であった。
強度を高くするには、鉄筋入りの構造にすれば良い。しかしながら、多孔質の透水性コンクリートでは、鉄筋を入れても、コンクリートの鉄筋への付着強度が低いうえ、透水性コンクリートの中を浸透する雨水に鉄筋が晒されて錆び易く、耐久性に劣るという問題があり、大型の貯留浸透槽の需要に応えることが困難であった。
【０００４】
本考案は上記の事情に鑑みてなされたもので、その目的は、大型にでき、しかも、大型であっても強度が高く、耐久性にも優れた貯留浸透槽を提供することにある。
【課題を解決するための手段】
【０００５】
上記の目的を達成するために、本考案の貯留浸透槽は、地中に埋設され、一時的に貯留した雨水を地中に浸透排水する貯留浸透槽において、非透水の鉄筋コンクリートにより形成され、雨水を貯留する槽本体と、この槽本体の少なくとも一の縦壁面部に形成された排水用開口部と、この排水用開口部のうち少なくとも前記縦壁面部の前記排水用開口部を閉鎖して設けられ、透水性コンクリートにより形成された透水板とを具備していることを特徴としている。
【考案の効果】
【０００６】
本考案の貯留浸透槽によれば、槽本体を非透水の鉄筋コンクリートで形成したので、壁面部の内部に水が浸透することなく、内部の鉄筋が早期に錆びるようなことはない。また、槽本体が鉄筋コンクリートで作られているので、強度が高く、大型に形成でき、駐車場などの下に埋め込んでも、車両の重量に十分耐え得る。
なお、非透水のコンクリートとは、通常の綿密なコンクリートを意味し、水が壁面部を通って槽本体の内外に容易に浸透するものではないということであって、全く壁面部の中に水が染み込まないことを意味してはいない。
【０００７】
しかも、槽本体が非透水の鉄筋コンクリートで作られていても、この槽本体の少なくとも一の縦壁面部に、排水用開口部が形成されており、且つ、縦壁面部の排水用開口部には土砂などが槽本体内に侵入しないように透水板が取り付けられている。そのため、貯留浸透槽の貯水機能を長期にわたり損なわず、且つ、貯留した雨水を徐々に土中に浸透排水するという貯留浸透槽本来の機能を損なうこともない。
【考案を実施するための最良の形態】
【０００８】
以下、本考案の一実施形態を図面に基づいて説明する。
貯留浸透槽１は、図１に示すように、閉じられたトンネル状の槽本体２と、槽本体２の左右の両縦壁面部３（一方の縦壁面部３のみを図示）に形成された複数の排水用開口部４と、槽本体２の床壁面部５に形成された複数の排水用開口部６と、左右の両縦壁面部３の排水用開口部４に取り付けられ透水板７とから構成されている。
【０００９】
前記槽本体２は、１個又は複数個のボックスカルバート８、この実施形態では複数個、例えば４個の非透水の鉄筋コンクリート製のボックスカルバート８を直列に連結し、その両端の開放口をボックスカルバート８と同じ非透水の鉄筋コンクリートからなる端板９，９により閉鎖した構成である。なお、ボックスカルバート８の列において、図１中の左側を前方向とし、各ボックスカルバート８の一つ一つを指す必要がある場合には、前方向のボックスカルバートから順に８ａ，８ｂ，８ｃ，８ｄの符号を付して説明することとする。
【００１０】
各ボックスカルバート８は、図２及び図３に示すように、天井壁面部１０ａ、左右の両縦壁面部１０ｂ，１０ｃ及び床壁面部１０ｄを有した断面略ロ字形状のもので、前後両端が開放された中空のトンネル状をなしている。なお、ボックスカルバート８中の鉄筋は、図３においてその一部が見えており、これを符号１１で示した。ボックスカルバート８の左右の両縦壁面部１０ｂ，１０ｃには前記排水用開口部４が２個ずつ設けられ、床壁面部１０ｄにも前記排水用開口部６が２個ずつ設けられている。
【００１１】
左右の各排水用開口部４はロ字形状の比較的大きな開口であり、図３に示すように、外面側が内面側より幅広くなった段付き形状になっている。この排水用開口部４の外側部分には、透水性コンクリートにより形成された透水板７が外側から嵌め込まれている。この透水板７は、取付板１２によって、外れ止めされている。つまり、図３に示すように、ボックスカルバート８の左右の両縦壁面部１０ｂ，１０ｃには、排水用開口部４の外側部分のコーナー部に位置してナット１３が埋め込まれている。そして、取付板１２に形成された通し孔１４に通したボルト１５をナット１３に螺着することにより、取付板１２をボックスカルバート８に固定し、これにて透水板７が取付板１２により外れ止めされる。
尚、本実施形態の床壁面部５の排水用開口部６には、透水板７は取り付けられていない。その理由は、土砂が床壁面部５の排水用開口部６からボックスカルバート８（槽本体２）内に侵入する虞がないからである。
【００１２】
ボックスカルバート８の両端の開放口の周囲部分には、凸部１６と、凹部１７（図１参照）とがそれぞれ形成されている。そして、隣り合うボックスカルバート８同士が、凸部１６と凹部１７との嵌合により、隙間なく連結されている。このとき、最前に位置するボックスカルバート８ａの前端面、及び最後に位置するボックスカルバート８ｄの後端面は、図４に示すように、連結用の凸部１６及び凹部１７は無く、平らな面をしている。そして、これら平らな面の四隅付近にはナット１８が埋め込まれている。これに対し、端板９の四隅には、ボルト１９を通す通し孔２０が設けられている。そして、通し孔２０に通したボルト１９をボックスカルバート８のナット１８に螺着することにより、端板９がボックスカルバート８ａ，８ｄに固定される。
【００１３】
また、ボックスカルバート８の列うち、例えば２つ目のボックスカルバート８ｂの天井壁面部１０ａにはマンホール２１が形成され、このマンホール２１は着脱可能な蓋２２によって閉鎖されている。また、図示はしないが、足をかける複数のステップがボックスカルバート８ｂの内部に設けられている。以上のように４個のボックスカルバート８を主体として構成された貯留浸透槽１は、舗装地面に設けられた排水溝に導水管（共に図示せず）を介して連結されている。
【００１４】
尚、貯留浸透槽１（ボックスカルバート８）の埋設において、貯留浸透槽１の浸透排水の効果を高めるために、貯留浸透槽１を地中に埋設する前に、図１に示すように、貯留浸透槽１の外周を囲うように砂利２３などの透水性の良い材料及び透水シート２４が設けられている。さらに、貯留浸透槽１の設置の安定性を確保するために貯留浸透槽１の下に基礎コンクリート２５が敷かれている。
【００１５】
次に貯留浸透槽１の作用、効果について説明する。
雨が降ると、舗装地面に降った雨水は排水溝から導水管を通って貯留浸透槽１内に流入し、貯留浸透槽１内部に貯留される。貯留された雨水は、槽本体２の左右の両縦壁面部３の排水用開口部４に嵌め込まれた透水板７から、及び排水用開口部６から直接外部に浸透排水する。
【００１６】
本考案の貯留浸透槽１によれば、槽本体２を非透水の鉄筋コンクリートで形成したので、各壁面部の内部に水が浸透することなく、内部の鉄筋１１の錆びを防ぐことができる。そのため、槽本体２の強度を高くできる。
また、槽本体２の左右の両縦壁面部３及び床壁面部５に排水用開口部４，６を形成したので、この部分から貯留浸透槽１内部に貯留した雨水を浸透排水できる。
【００１７】
さらに、排水用開口部４に透水板７を取り付けたので、土砂などが貯留浸透槽１内部に侵入することを防止できる。また、排水用開口部４を段付き形状にしたので、透水板７に作用する土圧を段差面４ａで受けることができ、透水板７が外れて貯留浸透槽１の内側に落ち込むといった虞がなく、貯留浸透槽１の貯水機能を長期にわたり損なわなくできる。また、長期の使用による透水板７の目詰まりが生じた場合には、透水板７の外周の砂利２３を掘り返して透水板７をジェット噴水などにより洗浄したり、透水板７を貯留浸透槽１から取り外して地上で洗浄したり、透水板７を新しい透水板７と交換したりして浸透機能を回復できる。
【００１８】
尚、本考案は上記し且つ図面に示す実施形態に限定されるものではなく、以下のような拡張或いは変更が可能である。
上記実施形態では槽本体２を複数個のボックスカルバート８と２枚の端板９とで構成したが、１個のボックスカルバート８と２枚の端板９とで構成しても良い。この場合、ボックスカルバート８の前後両端面の形状は、連結用の凸部１６及び凹部１７は無く、平らな面をした構成とし、開放口を塞ぐように端板９，９を取り付ける構成とする。
【００１９】
また、槽本体２は上面が開放した箱形状の鉄筋コンクリート製の筐体に鉄筋コンクリート製の蓋を設ける構成や、天井、左右、床、前後の各壁面部を別々に鉄筋コンクリートで作製し箱形状に組み立てるものであっても良い。また、上記実施形態では、４個のボックスカルバート８の連結構造としたが、この連結の数は４個以上でも良い。５個以上の場合には、マンホール２１を有するボックスカルバート８ｂを複数個設けても良い。
【００２０】
上記実施形態では、槽本体２の左右の両縦壁面部３及び床壁面部５に排水用開口部４，６を設けたが、雨量が異なる地域では設ける排水用開口部４，６の数や大きさを変更しても良い。排水用開口部４は、左右の両縦壁面部３のうち、一方の縦壁面部３だけに設け、これを透水板７で閉鎖したものであっても良い。
【００２１】
上記実施形態の端板９には、排水用開口部を設けなかったが、端板９にも排水用開口部を形成しても良い。この場合、各排水用開口部の形状も板の内面側よりも外面側を広くした段付き形状とし、排水用開口部に外側から透水板を嵌め込む構成にするのが好ましい。
【図面の簡単な説明】
【００２２】
【図１】本考案の一実施形態の貯留浸透槽の縦断側面図
【図２】ボックスカルバートと透水板の分解斜視図
【図３】透水板を取り付けたボックスカルバートの縦断正面図
【図４】ボックスカルバートと端板の分解斜視図
【符号の説明】
【００２３】
図中、１は貯留浸透槽、２は槽本体、３は縦壁面部、４，６は排水用開口部、７は透水板、８はボックスカルバート、９は端板を示す。
【図１】
0003125027.tif 000003
【図２】
0003125027.tif 000004
【図３】
0003125027.tif 000005
【図４】
0003125027.tif 000006